(57)【特許請求の範囲】
【請求項１】
各一対の側壁(1)及び端壁(2)をコーナー部を介して連設し、端壁(2)の上辺及び下辺から延びる内フラップ(4,5)と、側壁の上辺及び下辺から延びる外フラップ(6,7)とを貼り合わせて封緘し、天面の内フラップ(4)を切り込んで形成した係合片(8)を、外フラップ(6)の表面に貼り付け、底面の外フラップ(7)を切り欠いて、段積み時に係合片(8)が嵌り込む係合凹部(9)を形成し、側壁(1)に、開放作業時に切断する横方向の切裂帯(10)を設けると共に、縦方向の２本の切目線(11)を入れた包装展示兼用箱において、前記係合片(8)を回避して、天面の外フラップ(6)に、基端側から先端側へかけて内方向に湾曲するように側壁(1)の切目線(11)に連続して切断できる切目線(12)を入れ、この切目線(12)に重なるように、天面の内フラップ(4)に切目線(13)を入れると共に、この切目線(13)の中央部から内フラップ(4)の先端縁中央部へかけて外フラップ(6)同士の突合する端縁に沿うように切目線(14)を入れ、内フラップ(4)と外フラップ(6)とを、外フラップ(6)の切目線(12)に重なる内フラップ(4)の切目線(13)及びこの切目線(13)から内フラップ(4)の先端縁中央部へ至る切目線(14)を挟んだ両側部で貼り合わせたことを特徴とする包装展示兼用箱。
【請求項２】
前記切裂帯(10)の切始部(10a)に臨んで、切目を入れることにより、縦方向に揺動する押込片(10c)を設けたことを特徴とする請求項１に記載の包装展示兼用箱。
【発明の詳細な説明】
【技術分野】
【０００１】
この発明は、包装状態での商品の輸送及び店頭における開放状態での商品の展示に兼用できる箱に関するものである。
【背景技術】
【０００２】
近年、ディスカウントストア等では、輸送用に商品を包装した段ボール箱を店頭に積み上げ、上段の段ボール箱を、側壁に入れた切目線の切断に伴い、側面から天面まで開口させ、商品を露出させて、展示作業の省力化を図りつつ、消費者に対する訴求効果を得るようにした展示形態が採られている。
【０００３】
ところが、このように箱を積み上げて商品を展示する際、下段側の箱と上段側の箱とに積みずれが生じると、見映えが悪くなり、また、ずれが大きくなると、上段側の箱が床に落下して商品が散乱するおそれもある。
【０００４】
その対策として、下記特許文献１に記載された積ずれ防止構造を段ボール箱に適用することが考えられる。ここで一例として示された箱は、図１７に示すように、各一対の側壁５１及び端壁５２をコーナー部を介して連設し、端壁５２の上辺及び下辺から延びる内フラップ５３，５４と、側壁５１の上辺及び下辺から延びる外フラップ５５，５６とを貼り合わせて封緘する溝切り型の段ボール箱である。
【０００５】
この段ボール箱では、天面の内フラップ５３を切り込んで係合片５７を設け、底面の外フラップ５６を切り欠いて係合凹部５８を形成し、封緘時に係合片５７を外フラップ５５の表面に貼り付け、段積み時には、下段側の箱の係合片５７に、上段側の箱の係合凹部５８を係合させて積みずれを防止する。
【先行技術文献】
【特許文献】
【０００６】
【特許文献１】特許３８９００８４号公報
【発明の概要】
【発明が解決しようとする課題】
【０００７】
しかしながら、上記のような積ずれ防止構造を、開放状態で商品を展示する包装展示兼用箱に適用した場合、係合片の存在により、天面を開口させることが難しくなり、十分な展示効果を得にくくなるほか、商品が取り出しにくくなるという問題がある。
【０００８】
そこで、この発明は、積ずれ防止機能を損なうことなく、簡単な作業で側面から天面まで大きく開口させて商品を展示できるようにすることを課題とする。
【課題を解決するための手段】
【０００９】
上記のような課題を解決するため、この発明は、各一対の側壁及び端壁をコーナー部を介して連設し、端壁の上辺及び下辺から延びる内フラップと、側壁の上辺及び下辺から延びる外フラップとを貼り合わせて封緘し、天面の内フラップを切り込んで形成した係合片を、外フラップの表面に貼り付け、底面の外フラップを切り欠いて、段積み時に係合片が嵌り込む係合凹部を形成し、側壁の両側部に、開放作業時に切断する横方向の切裂帯を設けると共に、縦方向の２本の切目線を入れた包装展示兼用箱において、前記係合片を回避して、天面の外フラップに、基端側から先端側へかけて内方向に湾曲するように側壁の切目線に連続して切断できる切目線を入れ、この切目線に重なるように、天面の内フラップに切目線を入れると共に、この切目線の中央部から内フラップの先端縁中央部へかけて外フラップ同士の突合する端縁に沿うように切目線を入れ、内フラップと外フラップとを、外フラップの切目線に重なる内フラップの切目線及びこの切目線から内フラップの先端縁中央部へ至る切目線を挟んだ両側部で貼り合わせたのである。
【００１０】
また、前記切裂帯の切始部に臨んで、切目を入れることにより、縦方向に揺動する押込片を設けたのである。
【発明の効果】
【００１１】
この包装展示兼用箱では、展示状態への開放作業に際し、外フラップと内フラップとが切目線に沿って同時に切断され、その内側を側壁の切取部と共に除去して、側面から天面にかけて大きく開口させることができるので、簡単な作業で優れた訴求効果を得ることができ、商品の取り出しも容易に行なうことができるほか、係合片と係合凹部による積みずれ防止機能も確保される。
【００１２】
また、切裂帯の切始部に臨んで押込片を設けると、押込片の押し込みに伴い、切裂帯の切始部に臨む部分を容易に摘むことができ、開放作業を容易に行なうことができる。
【図面の簡単な説明】
【００１３】
【図１】この発明の第１実施形態に係る包装展示兼用箱のブランクを示す裏面図
【図２】同上の包装状態を示す斜視図
【図３】同上の平面図
【図４】同上の正面図
【図５】同上の底面図
【図６】同上の右側面図
【図７】同上の左側面図
【図８】同上の背面図
【図９】同上の開放過程を示す斜視図
【図１０】同上の開放過程を示す斜視図
【図１１】同上の片側開放状態を示す斜視図
【図１２】同上の両側開放状態を示す斜視図
【図１３】同上の段積み状態を示す斜視図
【図１４】この発明の第２実施形態に係る包装展示兼用箱のブランクを示す裏面図
【図１５】同上の包装状態を示す斜視図
【図１６】同上の開放過程を示す斜視図
【図１７】従来の積ずれ防止箱の封緘過程を示す斜視図
【発明を実施するための形態】
【００１４】
以下、この発明の第１実施形態を図１乃至図１３に基づいて説明する。
【００１５】
この包装展示兼用箱は、図１に示すような段ボール製のブランクから形成される。このブランクでは、長面方向の側壁１及び幅面方向の端壁２が各一対交互に連設され、側壁１の両側端には、面取り部３が設けられている。一方の端壁２の外側端には、継代片３ａが連設されている。
【００１６】
端壁２の上辺及び下辺には内フラップ４，５が、側壁１の上辺及び下辺には外フラップ６，７がそれぞれ連設され、内フラップ４及び外フラップ６の側縁には、製箱機械への適性を考慮して、凸凹が設けられている。
【００１７】
上方の内フラップ４の基端部には、台形状に切り込んで係合片８が形成され、下方の外フラップ７の先端両側には、角部を切り欠いて係合片８の半分に相当する係合凹部９が形成されている。係合凹部９は、外フラップ７が突き合わされると、係合片８より若干大きな寸法となる。また、上方の内フラップ４には、係合片８の先端縁及び両側縁に沿って、抜穴部８ａが設けられている。
【００１８】
各一対の側壁１及び端壁２並びに面取り部３及び継代片３ａには、ブランクの裏面に貼り付けたカットテープやライナカットから成る横方向の切裂帯１０が設けられ、その切始部１０ａ及び切終部１０ｂが各側壁１の面取り部３に臨む位置に設けられている。切始部１０ａは、面取り部３側へ少し突き出した端縁から横方向にジッパ型の切目を入れて形成され、切終部１０ｂは、切裂帯１０を幅方向に切断する縦方向の切目とされている。
【００１９】
側壁１と面取り部３の稜部には、切裂帯１０から上端へかけて、誘導切目を有するジッパ型の切目線１１が入れられ、上方の外フラップ６には、切目線１１に続いて基端から先端へかけてジッパ型の切目線１２が入れられている。切目線１２は、係合片８を回避するように基端側から先端側へかけて内方向へ湾曲している。
【００２０】
上方の内フラップ４には、両側縁に亘ってジッパ型の切目線１３が入れられ、切目線１３は、外フラップ６の切目線１２に重なるように湾曲し、切目線１３の中央部から内フラップ４の先端縁中央部へかけて、垂直にジッパ型の切目線１４が入れられている。
【００２１】
このブランクを組み立てて、例えば、袋入りクリームパウダー等の商品を包装する際には、図中鎖線で示すように、内フラップ４の両側部の切目線１３を挟んだ塗布位置ａ，ｂに、段ボールの表面からホットメルト接着剤を塗布し、係合片８の塗布位置ｃに、段ボールの裏面からホットメルト接着剤を塗布する。
【００２２】
そして、図２乃至図８に示すように、各一対の側壁１及び端壁２並びに面取り部３を折り曲げ、継代片３ａを反対側の面取り部３に貼り付けて、角筒状の周壁を形成し、下方の内フラップ５及び外フラップ７を順次折り曲げ、これらを貼り合わせて底面を閉止する。
【００２３】
次に、箱内に商品を収納し、係合片８を立てたまま、上方の内フラップ４と外フラップ６とを順次折り重ね、塗布位置ａ，ｂの接着剤により、内フラップ４の表面に外フラップ６を貼り付ける。
【００２４】
このとき、セットアップケーサー等の製箱機械に備えられたフックを抜穴部８ａに挿入し、フックの先端部を係合片８に引っ掛けて、係合片８を立てた状態に保持しつつ、内フラップ４のみを折り曲げることができる。
【００２５】
そして、係合片８を、製箱機械のアーム等で折り曲げて、塗布位置ｃの接着剤により、外フラップ６の表面に貼り付ける。
【００２６】
この包装状態において、上記段ボール箱では、天面の外フラップ６から段ボールの厚さ分の高さを有する段差を介して係合片８が突出し、底面の外フラップ７から段ボールの厚さ分の高さを有する段差を介して係合凹部９の内側が窪んだ状態となる。
【００２７】
また、天面に内フラップ４が通常どおり存在するので、保形性や強度が低下することがなく、内フラップ４で商品Ｇを上方から確実に押さえることができ、内フラップ４と外フラップ６との間に商品Ｇの一部が噛み込んだまま封緘される事態が防止される。
【００２８】
上記のように封緘した段ボール箱を小売店へ配送し、店頭で商品を展示する際には、図９に示すように、片側の側壁１の切裂帯１０を引っ張ることにより、側壁１を切始部１０ａから切終部１０ｂまで横方向に切断し、図１０に示すように、切目線１１に沿った切断に伴い、側壁１の切目線１１に挟まれた部分を引き上げて切り開く。
【００２９】
続いて、側壁１の切取部をさらに引き上げると、これに繋がる外フラップ６と内フラップ４とが切目線１２，１３に沿って同時に切断され、内フラップ４が切目線１４に沿って切断されて、図１１に示すように、切目線１２，１３の内側の部分を側壁１の切取部と共に除去することができる。
【００３０】
そして、図１２に示すように、反対側の側壁１及び外フラップ６と内フラップ４とを同様に切り開くと、段ボール箱は、両側面から天面にかけて大きく開口するので、その開口部から商品Ｇを露出させて、十分な訴求効果を得ることができ、商品Ｇの取り出しも容易に行なうことができる。
【００３１】
また、図１３に示すように、包装状態の段ボール箱に、開放状態の段ボール箱を積み上げて商品Ｇを展示する場合には、下段側の段ボール箱の係合片８に、上段側の段ボール箱の係合凹部９が係合するので、積ずれが防止され、展示状態の美観が維持される。
【００３２】
次に、この発明の第２実施形態を図１４乃至図１６に基づいて説明する。なお、ここでは、上記第１実施形態と相違する部分についてのみ言及する。
【００３３】
この包装展示兼用箱では、図１４にブランクの状態で示すように、切裂帯１０の切始部１０ａと面取り部３との間に押込片１０ｃが設けられている。この押込片１０ｃは、切始部１０ａをなす縦方向の切目線と、側壁１と面取り部３との境界に沿った縦方向の切目線との間に形成され、これらの切目線の下端側に亘る弧状に湾曲した繋部付き切目線が先端となるような舌片状のものとされている。
【００３４】
そして、このブランクを、図１５に示すように段ボール箱に組み立てて商品を包装し、店頭で商品を展示する際には、図１６に示すように、押込片１０ｃをその先端の切目線の繋部を切断しつつ押し込んで、上端側をヒンジとして揺動させると、切裂帯１０の切始部１０ａに臨む部分を容易に摘んで、切裂帯１０を引っ張り、側壁１を切始部１０ａから切終部１０ｂまで横方向に切断することができる。
【００３５】
なお、この押込片１０ｃは、縦方向に揺動するものであれば、上端側が先端となり、下端側がヒンジとなるものでもよい。また、押込片１０ｃの先端の形状は、必ずしも弧状とする必要はなく、直線状としてもよい。
【００３６】
また、上記各実施形態では、側壁１と端壁２とが形成するコーナー部に面取り部３が介在する箱について例示したが、このような面取り部３がなく、コーナー部が直角となった通常の箱においても、同様の構成を採用することができる。
【００３７】
また、側壁１の切目線１１の延長線上に外フラップ６の切目線１２が続くものを例示したが、切目線１１，１２が貫穴を介してずれた状態で配置されていても、切目線１１，１２に沿って側壁１及び外フラップ６を連続的に切断することができる。
【符号の説明】
【００３８】
１  側壁
２  端壁
３  面取り部
３ａ  継代片
４，５  内フラップ
６，７  外フラップ
８  係合片
８ａ  抜穴部
９  係合凹部
１０  切裂帯
１０ａ  切始部
１０ｂ  切終部
１０ｃ  押込片
１１，１２，１３，１４  切目線
ａ，ｂ，ｃ  塗布位置
Ｇ  商品
【図１】
0005592175.tif 000002
【図２】
0005592175.tif 000003
【図３】
0005592175.tif 000004
【図４】
0005592175.tif 000005
【図５】
0005592175.tif 000006
【図６】
0005592175.tif 000007
【図７】
0005592175.tif 000008
【図８】
0005592175.tif 000009
【図９】
0005592175.tif 000010
【図１０】
0005592175.tif 000011
【図１１】
0005592175.tif 000012
【図１２】
0005592175.tif 000013
【図１３】
0005592175.tif 000014
【図１４】
0005592175.tif 000015
【図１５】
0005592175.tif 000016
【図１６】
0005592175.tif 000017
【図１７】
0005592175.tif 000018